(57)【要約】【課題】ブリッセルを保護できるようにするとともに、カバーを簡単に装着できるようにした洗髪用ブラシを提供する。【解決手段】複数のブリッセル７を起立させるようにしたベース部材２と、当該ベース部材２の背面側に設けられた頭部突起３を押圧することによってブリッセル７の先端側に向かってスライドするスライド部材と、複数のブリッセル７の先端側を覆うように保護するカバー６と、前記スライド部材をブリッセル７の先端側にスライドさせた状態で、当該スライド部材とカバー６を接合させる接合部８とを設けるようにする。この接合部８は、スライド部材４の先端側にスリット部４１を設け、このスリット部４１にカバー６に設けられた起立片６１を差し込んで固定できるようにする。【選択図】図２
2017138124.tif 000002
【特許請求の範囲】
【請求項１】
表面側に複数のブリッセルを起立させるようにしたベース部材と、
当該ベース部材の背面側に設けられた頭部突起を押圧することによってブリッセルの先端側に向かってスライドするスライド部材と、
複数のブリッセルの先端側を覆うように保護するカバーと、
前記スライド部材をブリッセルの先端側にスライドさせた状態で、当該スライド部材とカバーを接合させる接合部と、
を設けるようにしたことを特徴とする洗髪用ブラシ。
【請求項２】
前記スライド部材が、複数のブリッセルの隙間を通る除毛部材を備えてなるものである請求項１に記載の洗髪用ブラシ。
【請求項３】
前記ベース部材が長手方向を有する形状をなすものであり、
前記除毛部材が当該ベース部材の長手方向に沿って設けられるものである請求項２に記載の洗髪用ブラシ。
【請求項４】
前記接合部が、スライド部材の先端に設けられたスリット部と、カバーに設けられた突起片とを有して構成され、当該カバーの突起片をスリット部に差し込むことでカバーと接合させるようにしたものである請求項１に記載の洗髪用ブラシ。
【請求項５】
前記ベース部材の側面に第二スリット部を設け、当該第二スリット部に前記カバーの突起片を挿入してベース部材を起立させるようにした請求項４に記載の洗髪用ブラシ。
【発明の詳細な説明】
【技術分野】
【０００１】
本発明は、洗髪用ブラシに関するものであり、より詳しくは、ブリッセルを保護できるようにした洗髪用ブラシに関するものである。
【背景技術】
【０００２】
従来より、シャンプーやトリートメントを行う際に使用される洗髪用ブラシが各種提案されている（特許文献１〜３など）。【０００３】
このようなブラシは一般的に、手掌全体で包み込めるようにしたボックス状のベース部材と、このベース部材の表面側から起立する複数本のブリッセルとを備えるようにしたものであって、これ以外に近年では、ブリッセルを保護できるようにしたカバーを備えたものなども提案されている（特許文献３）。【０００４】
このようなカバーを備えたブラシとしては、図７に示すように、表面側にブリッセル９３を起立させたベース部材９０と、ブリッセル９３を保護するカバー９１に設けられた突起片９２とを設け、その突起片９２をベース部材９０の内側に設けられたスリット（図示せず）に差し込んで、カバー９１を取り付けられるようにした構造が提案されている。
【先行技術文献】
【特許文献】
【０００５】
【特許文献１】実用新案登録番号第３０１４８９９号公報
【特許文献２】特開平０６−２０９９７２号公報
【特許文献３】登録意匠第１４１６３８０号公報
【発明の概要】
【発明が解決しようとする課題】
【０００６】
しかしながら、このような洗髪用ブラシを使用する場合、次のような問題がある。【０００７】
すなわち、このような洗髪用ブラシを使用する場合、シャンプーやトリートメントなどで手が滑ってしまうため、ベース部材の裏面側に頭部突起を設け、そこに指を奥深くまで挟み込ませた状態でベース部材を手全体で掴めるようにすることが好ましいが、このような頭部突起を設けると、ブラシを逆向けに置いた際に頭部突起が当たってしまい、不安定になる。このため、どうしてもブリッセルを下側に向けて置かなければならないが、このようにブリッセルを下側に向けて置くと、ブリッセルが変形したり折れたりしてしまう可能性がある。【０００８】
また、上記特許文献３のブラシは、カバーの突起片を比較的長くして、ブリッセルの奥方のスリットに挿入できるようにしているが、通常、カバーを被せる際、ブリッセルがカバーで覆われることになるため、突起片の先端とスリットの位置を視認することができなくなる。このため試行錯誤しながら突起片をスリットに差し込まなければならないが、この差し込み作業に時間がかかるばかりでなく、また、突起片がブリッセルに当たってブリッセルを変形させてしまう可能性があった。【０００９】
そこで、本発明は上記課題を解決するために、ブリッセルを保護できるようにするとともに、カバーを簡単に装着できるようにした洗髪用ブラシを提供することを目的とする。
【課題を解決するための手段】
【００１０】
すなわち、本発明は上記課題を解決するために、表面側に複数のブリッセルを起立させるようにしたベース部材と、当該ベース部材の背面側に設けられた頭部突起を押圧することによってブリッセルの先端側に向かってスライドするスライド部材と、複数のブリッセルの先端側を覆うように保護するカバーと、前記スライド部材をブリッセルの先端側にスライドさせた状態で、当該スライド部材とカバーを接合させる接合部とを設けるようにしたものである。【００１１】
このように構成すれば、スライド部材をブリッセルの先端側に移動させた後にカバーと接合させることができるため、接合部分を視認させることができ、カバーを簡単に取り付けてブリッセルを保護することができるようになる。【００１２】
また、このような発明において、前記スライド部材に、複数のブリッセルの隙間を通る除毛部材を設けるようにする。【００１３】
このように構成すれば、スライド部材をブリッセルの先端側にスライドさせる際に、ブリッセルに絡まった毛をその除毛部材で取り除くことができるようになる。【００１４】
さらに、前記ベース部材を長手方向を有するように構成し、前記除毛部材を、ベース部材の長手方向に沿って伸びるようにする。【００１５】
このように構成すれば、ベース部材を長手方向に掴んで短手方向にブラッシングする場合に、その短手方向に沿って絡まった毛を長手方向に伸びる除毛部材で効率的に取り除くことができるようになる。【００１６】
加えて、前記接合部を、スライド部材の先端に設けられたスリット部と、カバーに設けられた突起片とを有するように構成するとともに、当該カバーの突起片をスリット部に差し込むことでカバーと接合させるようにする。【００１７】
このように構成すれば、カバーの突起片を見ながらブリッセルの先端側に位置するスリット部に差し込むことができ、簡単にカバーを取り付けることができるようになる。【００１８】
また、前記ベース部材の側面に第二スリット部を設け、当該第二スリット部に前記カバーの突起片を挿入してベース部材を起立させるようにする。【００１９】
このように構成すれば、頭部突起を有している場合であっても、第二スリット部にカバーの突起片を挿入して起立させることができ、ブリッセルを保護した状態で保管することもできる。
【発明の効果】
【００２０】
本発明によれば、表面側に複数のブリッセルを起立させるようにしたベース部材と、当該ベース部材の背面側に設けられた頭部突起を押圧することによってブリッセルの先端側に向かってスライドするスライド部材と、複数のブリッセルの先端側を覆うように保護するカバーと、前記スライド部材をブリッセルの先端側にスライドさせた状態で、当該スライド部材とカバーを接合させる接合部とを設けるようにしたので、スライド部材をブリッセルの先端側に移動させた後にカバーと接合させることができ、接合部分を視認してカバーを簡単に取り付けることができるようになる。
【図面の簡単な説明】
【００２１】
【図１】本発明の一実施の形態を示す洗髪用ブラシの側面図
【図２】図１におけるブリッセルを省略したＡ−Ａ断面図
【図３】同形態における頭部突起をスライドさせた状態図
【図４】同形態における洗髪用ブラシの右側面図
【図５】同形態におけるベース部材をブリッセル側から見た図
【図６】同形態におけるカバーを第二スリット部に挿入させた状態図
【図７】従来例における洗髪用ブラシを示す図
【発明を実施するための形態】
【００２２】
以下、本発明の一実施の形態について図面を参照しながら説明する。
【００２３】
この実施の形態における洗髪用ブラシ１は、図１や図２に示すように、表面側に複数のブリッセル７を起立させたベース部材２と、このベース部材２の背面側の頭部突起３に設けられ、図３に示すように頭部突起３を下方に押圧させることによってブリッセル７の先端側に向かってスライドするスライド部材４と、ブリッセル７の先端側を全体的に覆うように保護するカバー６とを備えてなるものであって、頭部突起３を下方にスライドさせてスライド部材４をブリッセル７の先端側にスライドさせ、その状態で、スライド部材４とカバー６とを接合部８で接合させるようにしたものである。以下、本実施の形態における洗髪用ブラシ１について詳細に説明する。
【００２４】
まず、ベース部材２は、図５に示すように、平面視において楕円形状をなすものであって、ちょうど手の平に収まるような縦長方向を有するように構成されている。また、厚み寸法については、ベース部材２を手の平全体で握った場合にちょうど親指が側面に位置するような厚み寸法に構成されており、これによって手の平全体で包み込むようにベース部材２を掴めるようにしている。
【００２５】
このベース部材２の表面側には、複数本のブリッセル７が起立するように設けられている。このブリッセル７は、ベース部材２の表面側に設けられた複数の孔部２３（図５参照）に折り返されるように長短を有するように植え付けられる。このブリッセル７をベース部材２の孔部２３に植え付ける場合、ベース部材２の長手方向の中心線を中心に左右対称に植え付けられるようになっており、長手方向に沿った中央部分に若干の隙間を設けて、後述する除毛部材５を配置するようにしている。
【００２６】
一方、ベース部材２の上面側については、頭部突起３がスライド可能に設けられている。この頭部突起３は、ベース部材２を手掌で握った際に、指と指の間に挟み込ませるようにしたものであって、その上端部に設けられたフランジ部３１との間に手を挟み込んだ状態でベース部材２を包み込むように掴めるようにしている。
【００２７】
この頭部突起３には、図２や図３などに示すように、ブリッセル７の起立方向に沿ってスライドできるようにしたスライド部材４が設けられている。このスライド部材４は、ベース部材２の長手方向に沿った細いスライド穴２１に挿入されており、頭部突起３を下方に押圧させることで、そのスライド穴２１に沿って下向にスライドさせるようになっている。また、この扁平状のスライド部材４の先端部分には、ベース部材２の長手方向に沿った除毛部材５が設けられている。この除毛部材５は、ブリッセル７に絡まった毛を取り除くようにしたものであって、除毛時に頭部突起３を押し下げることで、スライド部材４とともに除毛部材５をブリッセル７の先端側に移動させて軽く図示しない突起などで固定し（図３（ａ）から（ｂ）の状態）、これによってブリッセル７に絡まった毛を取り除けるようにしている。ここで、この除毛部材５は、ベース部材２の長手方向に沿ったアームを有するように線状に構成されており、頭部突起３を上側に持ち上げた際に、そのアームを有する除毛部材５をベース部材２の収納部に収納させることで、ベース部材２の表面側（ブリッセル７側）から突出させないようにしている。
【００２８】
一方、カバー６は、このベース部材２から起立するブリッセル７を保護できるように別体に構成されるものであって、ベース部材２とほぼ同じ輪郭形状を有するように構成されている。そして、接合部８を用いてこのカバー６をスライド部材４に接合させるようにしている。
【００２９】
この接合部８は、図２に示すように、カバー６の中央部分から起立するように設けられる起立片６１と、スライド部材４の先端部分に設けられたスリット部４１とによって構成されるものであって、その起立片６１をスリット部４１に挿入させることでカバー６を取り付けられるようにしている。ここで、この起立片６１は、比較的短く構成されており、この起立片６１をスリット部４１に差し込む際には、スライド部材４をブリッセル７の先端側までスライドさせ、その状態でスライド部材４のスリット部４１を視認させて起立片６１を差し込めるようにしている。このとき、頭部突起３を押し下げた状態でカバー６を取り付けるようにしているため、収納時の高さ寸法を小さくすることができるようになる。
【００３０】
また、この実施の形態では、図６に示すように、カバー６と起立片６１を用いてベース部材２を起立させるようにしている。このベース部材２を起立させる場合、ベース部材２の側面に第二スリット部２２を設けておき、その第二スリット部２２に起立片６１を差し込んで、カバー６を土台として使用することにより、ベース部材２を起立させるようにする。このとき、第二スリット部２２の位置としては、第二スリット部２２の奥行寸法を長く確保できるように、長手方向の端部側面に形成している。
【００３１】
次に、このように構成された洗髪用ブラシ１の使用方法について説明する。
【００３２】
まず、この洗髪用ブラシ１を使用する場合、カバー６を取り外した状態で頭部突起３を上方に引き上げる（図３（ａ）の状態）。すると、スライド部材４の先端側に設けられた除毛部材５が収納凹部２４に収納されるとともに、頭部突起３のフランジとベース部材２の上面との間に隙間が形成される。そして、その状態で指と指の間に頭部突起３を挟み込み、頭部突起３のフランジとベース部材２との間に手を挟み込むようにする。このとき、スライド部材４は、ベース部材２の長手方向に沿うように扁平状に構成されているため、ベース部材２を長手方向と手指の方向を一致させるように掴むことができる。
【００３３】
そして、このようにベース部材２を包み込むように手全体で掴んだ状態でブラッシングを行う。このとき、人間の手の動きと頭部との位置関係からベース部材２を短手方向にブラッシングするようになり、抜けた毛はブラッシングの方向、すなわち、図５におけるベース部材２の左右方向（短手方向）にブリッセル７に絡まるようになる。
【００３４】
このようにブラッシングをしている途中で一旦台の上などに置く場合は、カバー６の起立片６１を第二スリット部２２に挿入する。すると、図６に示すように、ベース部材２が起立片６１で固定された状態でカバー６を土台として起立させることができるようになる。
【００３５】
また、ブラッシングが終了した場合は、今度は頭部突起３を下方に押し下げる（図３（ｂ）の状態）。すると、その頭部突起３の押し下げることに伴ってスライド部材４が下方にスライドし、除毛部材５も同様にブリッセル７の先端側に移動する。すると、短手方向にブリッセル７に絡まった毛が除毛部材５によって持ち上げられ、毛を効率的に取り除くことができるようになる。また、この状態では固い除毛部材５がブリッセル７の先端側に位置しているため、ブリッセル７を下側にして置いたとしても除毛部材５でブリッセル７の変形を防止することができるようになる。
【００３６】
そして、このようにスライド部材４をブリッセル７の先端側に移動させた状態で、カバー６の起立片６１をスライド部材４のスリット部４１を視認しながら挿入する。すると、図１や図２に示すように、この起立片６１とスリット部４１が接合されてカバー６が固定され、ブリッセル７を全体的に保護することができるようになる。
【００３７】
このように上記実施の形態によれば、表面側に複数のブリッセル７を起立させるようにしたベース部材２と、当該ベース部材２の背面側に設けられた頭部突起３を押圧することによってブリッセル７の先端側に向かってスライドするスライド部材４と、複数のブリッセル７の先端側を覆うように保護するカバー６と、前記スライド部材４をブリッセル７の先端側にスライドさせた状態で、当該スライド部材４とカバー６を接合させる接合部８とを設けるようにしたので、スライド部材４をブリッセル７の先端側に移動させた後にカバー６と接合させることができ、接合部分を視認してカバー６を簡単に取り付けることができるようになる。
【００３８】
また、前記スライド部材４にブリッセル７の隙間を通る除毛部材５を設けるようにしたので、スライド部材４をブリッセル７の先端側にスライドさせることによって、ブリッセル７に絡まった毛をその除毛部材５で取り除くことができるようになる。
【００３９】
さらに、前記ベース部材２を長手方向を有するように構成し、前記除毛部材５を、ベース部材２の長手方向に沿って伸びるように設けたので、除毛部材５を長手方向に掴んで短手方向にブラッシングする場合に、その短手方向に沿って絡まった毛を効率的に取り除くことができるようになる。
【００４０】
加えて、接合部８を、スライド部材４の先端に設けられたスリット部４１と、カバー６に設けられた突起片とを有するように構成するとともに、当該カバー６の突起片をスリット部４１に差し込むことでカバー６を接合させるようにしたので、カバー６の突起片を見ながらブリッセル７の先端側に位置するスリット部４１に差し込むことができ、簡単にカバー６を取り付けることができるようになる。
【００４１】
また、前記ベース部材２の側面に第二スリット部２２を設け、当該第二スリット部２２に前記カバー６の突起片を挿入してベース部材２を起立させるようにしたので、頭部突起３を設けている場合であっても、第二スリット部２２にカバー６の突起片を挿入して起立させることができ、ブリッセル７を保護した状態で保管することもできる。
【００４２】
なお、本発明は上記実施の形態に限定されることなく、種々の態様で実施することができる。
【００４３】
例えば、上記実施の形態では、スライド部材４として長手方向に沿った扁平状の部材で構成したが、円形や楕円形状など種々の断面形状を有する部材で構成してもよい。但し、このようなスライド部材４を設ける場合、指と指で挟めるような形状にしておくようにする。
【００４４】
また、上記実施の形態では、接合部８として、スライド部材４の先端側にスリット部４１を設けておき、このスリット部４１にカバー６の起立片６１を挿入させるようにしたが、これとは逆に、カバー６にスリット部４１を設けておき、スライド部材４の先端部分をこのスリット部４１に挿入させて接合させるようにしてもよい。
【００４５】
さらに、上記実施の形態では、除毛部材５として、ベース部材２の長手方向に沿った一本の線状の部材で構成したが、ブリッセル７の隙間を通る複数の線状の部材や格子状の部材、あるいは、面状の部材で構成するようにしてもよい。
【００４６】
加えて、上記実施の形態では、カバー６の中央に起立片６１を起立させてスリット部４１に挿入させるようにしているが、これとは別にベース部材２の底面側に当接する起立片を別途起立させるように設けるようにしてもよい。このようにすれば、カバー６がスライド部材４とともに上方に押し上げられた場合であっても、その起立片によってベース部材２とカバー６との距離を保つことができ、ブリッセル７の折れなどを防止できるようになる。
【符号の説明】
【００４７】
１・・・洗髪用ブラシ
２・・・ベース部材
２１・・・スライド穴
２２・・・第二スリット部
２３・・・孔部
２４・・・収納凹部
３・・・頭部突起
３１・・・フランジ部
４・・・スライド部材
４１・・・スリット部
５・・・除毛部材
６・・・カバー
６１・・・起立片
７・・・ブリッセル
８・・・接合部
【図１】
2017138124.tif 000003
【図２】
2017138124.tif 000004
【図３】
2017138124.tif 000005
【図４】
2017138124.tif 000006
【図５】
2017138124.tif 000007
【図６】
2017138124.tif 000008
【図７】
2017138124.tif 000009
【国際調査報告】
2017138124.tif 000010
2017138124.tif 000011
2017138124.tif 000012